(57)【特許請求の範囲】
【請求項１】
被検眼を照明する照明光学系と、被検眼に対向する対物レンズと、該対物レンズにより形成された像を再結像するリレーレンズと、該リレーレンズにより再結像された像を観察する観察手段とを備え、該観察手段は前記対物レンズを挟んで前記被検眼と反対側の光路に挿脱可能の補助レンズが設けられ、前記補助レンズが前記光路内に挿入されたときには前眼部像が観察され、前記補助レンズを前記光路から離脱させたときには眼底像が観察されるようにした眼科撮影装置において、
前眼部観察時に被検眼の視線を誘導するための固視標を被検眼に提示する前眼部観察時用固視標と、眼底観察時に被検眼の視線を誘導するための異なる位置に固視標を被検眼に提示する眼底観察時用固視標とを備え、
前記前眼部観察時用固視標と前記眼底観察時用固視標とは光軸を中心に対称位置に配置固定された少なくとも２個以上の周辺撮影用固視標をそれぞれ有し、
前記前眼部観察時の周辺撮影用固視標の眼底に対する提示位置と前記眼底観察時の周辺撮影用固視標の眼底に対する提示位置とが対応していることを特徴とする眼科撮影装置。
【請求項２】
前記補助レンズの離脱に応じて前記前眼部観察時用固視標から前記眼底観察時用固視標に自動的に切り換えられることを特徴とする請求項１に記載の眼科撮影装置。
【発明の詳細な説明】
【０００１】
【発明の属する技術分野】
本発明は、被検眼の眼底、角膜内皮、角膜断面等の撮影部位を撮影する眼科撮影装置の改良に関し、更に詳しくは、被検眼の視線を誘導して撮影部位を変更する眼科撮影装置の改良に関する。
【０００２】
【従来の技術】
従来から、被検眼の眼底、角膜内皮、角膜断面等の撮影部位を撮影する眼科撮影装置が知られている。この種の眼科撮影装置、例えば、眼底を撮影する眼底カメラでは、固視標を用いて被検眼の視線の方向を固定し、被検眼に対する装置本体の位置をアライメントして、撮影部位の撮影を行うようになっている（例えば、特公昭６０−５７８５４号公報、特公昭６３−２２８２３号公報参照）。
【０００３】
また、従来から、眼底の中央部位を撮影した後、眼底の周辺部位の撮影を行う場合、固視標の提示位置の移動又は切り替えを行って、被検眼の視線の方向を誘導することにより、中央部位から周辺部位への撮影部位の変更を行うものも知られている。例えば、特開平８−３０８８０２号公報には、撮影スイッチに連動して固視標の提示位置を変更することにより被検眼を誘導し、撮影部位の変更を行っている。
【０００４】
【発明が解決しようとする課題】
しかしながら、この種の従来の眼科撮影装置は、中央部位の撮影終了後に周辺部位の撮影を行う場合、固視標の移動又は切り替えを行うことにより固視標の提示位置を変更し、被検眼の視線の方向を誘導して撮影部位の変更を行う構成であるので、異なる撮影部位への撮影に移行する場合、被検者は次の撮影の際に事前にどの方向に視線を向ければ良いかを認識できず、迅速に周辺撮影を行い難いという不都合がある。
【０００５】
本発明は、上記の事情に鑑みて為されたもので、その目的とするところは、周辺撮影部位に被検眼を迅速に誘導させることのできる眼科撮影装置を提供することにある。
【０００６】
【課題を解決するための手段】
本発明の請求項１に記載の眼科撮影装置は、被検眼を照明する照明光学系と、被検眼に対向する対物レンズと、該対物レンズにより形成された像を再結像するリレーレンズと、該リレーレンズにより再結像された像を観察する観察手段とを備え、該観察手段は前記対物レンズを挟んで前記被検眼と反対側の光路に挿脱可能の補助レンズが設けられ、前記補助レンズが前記光路内に挿入されたときには前眼部像が観察され、前記補助レンズを前記光路から離脱させたときには眼底像が観察されるようにした眼科撮影装置において、
前眼部観察時に被検眼の視線を誘導するための固視標を被検眼に提示する前眼部観察時用固視標と、眼底観察時に被検眼の視線を誘導するための異なる位置に固視標を被検眼に提示する眼底観察時用固視標とを備え、
前記前眼部観察時用固視標と前記眼底観察時用固視標とは光軸を中心に対称位置に配置固定された少なくとも２個以上の周辺撮影用固視標をそれぞれ有し、
前記前眼部観察時の周辺撮影用固視標の眼底に対する提示位置と前記眼底観察時の周辺撮影用固視標の眼底に対する提示位置とが対応していることを特徴とする。
本発明の請求項２に記載の眼科撮影装置は、前記補助レンズの離脱に応じて前記前眼部観察時用固視標から前記眼底観察時用固視標に自動的に切り換えられることを特徴とする。
【００１１】
【発明の実施の形態】
【００１２】
【発明の実施の形態１】
図１は本発明に係わる眼科撮影装置の一例としての眼底カメラの光学系を示し、この図１において、３０は照明光学系、３１は撮影光学系である。照明光学系３０は観察光源１を有する。観察光源１からの照明光束はコンデンサレンズ２、可視光透過赤外光反射特性を有するダイクロイックミラー３を経てリングスリット板４のリング状開口部４ａに導かれ、このリング状開口部４ａを通過した照明光はリレーレンズ５を介して撮影光学系３１の穴空きミラー（後述する）の近傍にいったん結像される。更に、照明光学系３０は、ダイクロイックミラー３の背後に、撮影光源１９、コンデンサレンズ２０を有する。写真撮影の場合には、撮影光源１９が発光される。撮影光源１９からの撮影光は、コンデンサレンズ２０、ダイクロイックミラー３を透過して観察光と同様に撮影光学系３１の穴空きミラーの近傍にいったん結像される。
【００１３】
撮影光学系３１は、対物レンズ４１、穴空きミラー４２、後述するアライメント光束に関するハーフミラー４３、合焦レンズ４４、結像レンズ４５、跳ね上げミラー４７を有する。
【００１４】
被検眼Ｅの眼底Ｅｆからの反射光は、対物レンズ４１に導かれ、この対物レンズ４１により眼底Ｅｆと共役な眼底共役面Ｒにいったん結像された後、穴空きミラー４２の穴部４２ａを通り、ハーフミラー４３を透過して合焦レンズ４４、結像レンズ４５を介して跳ね上げミラー４７に導かれる。そして、この眼底像を形成する反射光束は跳ね上げミラー４７により観察光学系（観察手段）４８の一部を構成するフィールドレンズ４９の配設位置Ｒ’に再結像される。そして、この再結像された反射光束はダイクロイックミラー５０’、ＴＶリレーレンズ５１を介して撮像管５２に受像され、ＴＶモニター５３の画面に眼底像が表示される。
【００１５】
撮影光学系３１には、跳ね上げミラー４７に関してフィールドレンズ４９と共役位置にフィルム５５が設けられ、撮影時には撮影光源１９の発光と同時に跳ね上げミラー４７が撮影光学系３１の光路から離脱され、眼底Ｅｆからの反射光束が対物レンズ４１、穴空きミラー４２の穴部４２ａを通り、ハーフミラー４３に導かれ、合焦レンズ４４、結像レンズ４５によりフィルム５５に結像記録されることとなる。
【００１６】
ハーフミラー４３は、アライメント光束を被検眼に向けて投影する投影手段５６の一部を構成している。投影手段５６は、アライメント光源としてのＬＥＤ５７、ライトガイド５８、反射鏡６０、リレーレンズ６１を有する。そのＬＥＤ５７は中心波長が７６０ｎｍの近赤外光を出射する。ライトガイド５８の射出端５８ａはリレーレンズ６１の光軸Ｏ（撮影光学系３１の光軸Ｏ１）上に位置するように配置されている。
【００１７】
リレーレンズ６１と反射鏡６０との間には、２孔絞り５９が配設されている。２孔絞り５９は図２に示すように一対の孔部５９ａ、５９ｂを有する。この孔部５９ａ、５９ｂは光軸Ｏに関して対称位置に形成され、この２孔絞り５９はリレーレンズ６１に近接されている。
【００１８】
ライトガイド５８の射出端５８ａから出射されたアライメント光束は、反射鏡６０により反射されて２孔絞り５９の孔部５９ａ、５９ｂに導かれる。この孔部５９ａ、５９ｂを通ったアライメント光束はリレーレンズ６１に導かれる。リレーレンズ６１を通過したアライメント光束はハーフミラー４３により穴空きミラー４２に向けて反射される。リレーレンズ６１はライトガイド５８の射出端（アライメント指標）５８ａを穴空きミラー４２の孔部４２ａの中央位置（撮影光学系３１の光軸Ｏ１上の位置）Ｘに一旦中間結像する。ハーフミラー４３は図３に示すように波長７６０ｎｍの光束を約半分透過し、それ以外の波長域の光束をほぼ１００％透過させる透過特性Ｔを有する。このため、眼底Ｅｆからの反射光束の光量がハーフミラー４３の存在により低下することが抑止される。
【００１９】
その孔部４２ａの中央位置Ｘに形成されたアライメント指標を形成する一対のアライメント光束は、対物レンズ４１を介して被検眼Ｅの角膜Ｃに導かれる。ここで、被検眼Ｅから装置本体までのワーキングディスタンスＷ及び上下左右方向の位置が適正であるときには、射出端５８ａからの一対のアライメント光束によりその角膜Ｃの頂点Ｃｆと角膜曲率中心Ｃｒとの中間位置Ｃｃにアライメント像が結像投影される。また、被検眼Ｅから装置本体までのワーキングディスタンスＷが適正位置からずれているときには、一対のアライメント光束に基づくアライメント像はその角膜Ｃの中間位置Ｃｃを境に分離して投影される。
【００２０】
角膜Ｃにより反射されたアライメント反射光束は、ワーキングディスタンスＷが適正であるときには、対物レンズ４１により眼底共役面Ｒ上で撮影光学系Ｏ１上に結像される。その眼底共役面Ｒ上に結像されたアライメント反射光束は、孔部４２ａを通り、眼底像を形成する反射光束と同様に撮像管５２に受像され、図４（ａ）に示すように眼底像５４と共にアライメント像（射出端５８ａの像）５８’がテレビモニター５３の画面に表示される。また、ワーキングディスタンスＷが適正位置からずれているときには、図４（ｂ）に示すようにアライメント像５８’が分離して形成され、従って、検者はこのアライメント光束に基づくアライメント像５８’の合致・分離を視認することによりアライメント調整を行うことができる。
【００２１】
ダイクロイックミラー５０’の背後に固視標投影光学系１００が設けられている。この固視標投影光学系１００は被検眼の視線誘導用の固視光源１０１と、固視標としての絞り１０２と、固視標投影レンズ１０３とを有している。固視標は撮影光学系３０の各光学系要素を通して被検眼Ｅの眼底Ｅｆに投影される。固視光源１０１は、例えば、図５に示すように、１０個設けられている。符号１０１ａ〜１０１ｈ、１０１Ｌ、１０１Ｒは各固視光源を示し、この図５は被検者側から見た固視光源１０１の配設状態を示している。その固視光源１０１のうち、中央の固視光源１０１Ｒは右目撮影時に点灯され、中央の固視光源１０１Ｌは左目撮影時に点灯される。その固視光源１０１Ｌと固視光源１０１Ｒとの点灯切り替えは、眼底カメラ本体が右側にあるか、左側にあるかを検出することによって行われる。その固視光源１０１Ｒ、１０１Ｌを取り巻くように、８個の固視光源１０１が対称に配置されている。
【００２２】
ここでは、被検者に固視標の提示位置を撮影前に知覚させるための固視標同時提示手段が設けられている。この固視標同時提示手段は、例えば、図６に示すように、ロータリー式スイッチＳＷ１により構成することができる。このロータリー式スイッチＳＷ１は、Ｆ位置、Ｃ位置、５位置、９位置を有し、ロータリー式スイッチＳＷ１をＦ位置に切り換えると、９個の固視標１０１のうちから任意の固視標を適宜に選択して点灯させることが可能である。図７はその選択スイッチＳＷＦの一例を示し、その選択スイッチＳＷＦは表示パネル１０４と接点パネル１０５とからなるパネル型タッチセンサである。表示パネル１０４には、固視標の配設位置に対応した位置に数字０〜８が表示されている。接点パネル１０５には４個の接点１０５ａ〜１０５ｄが設けられている。
【００２３】
表示パネル１０４の数字０を押すと、全ての接点１０５ａ〜１０５ｄがオンされ、中央の固視光源１０１Ｌ又は１０１Ｒが点灯される。すなわち、左目撮影の時には、固視光源１０１Ｌが点灯され、右目撮影の時には固視光源１０１Ｒが点灯される。表示パネル１０４の数字１を押すと、接点１０５ａがオンされ、数字１に対応する固視光源１０１、すなわち、図５に示す固視光源１０１ａが点灯される。また、表示パネル１０４の数字２を押すと、接点１０５ａと接点１０５ｂとが同時にオンされ、数字２に対応する固視光源１０１、すなわち、図５に示す固視光源１０１ｂが点灯される。このようにして、表示パネル１０４の数字０〜８を押すことにより、順次その数字に対応する固視光源１０１Ｒ（又は１０１Ｌ）、１０１ａ〜１０１ｈが点灯される。
【００２４】
この発明の実施の形態では、パネル型タッチセンサであるが、ライトペン、マウス等の入力手段により固視標を選択して点灯させても良い。
【００２５】
ロータリー式スイッチＳＷ１をＣ位置に切り換えると、固視光源１０１Ｒ（又は１０１Ｌ）が点灯される。ロータリー式スイッチＳＷ１を５位置に切り換えると、固視光源１０１Ｒ（又は１０１Ｌ）と上下左右の４個の固視光源１０１ａ、１０１ｃ、１０１ｅ、１０１ｇが同時に点灯される。また、ロータリー式スイッチＳＷ１を９位置に切り換えると、固視光源１０１Ｒ（又は１０１Ｌ）と８個の固視光源１０１ａ〜１０１ｈが同時に点灯される。
【００２６】
ロータリー式スイッチＳＷ１を５位置又は９位置に切り替え、被検者に固視標を同時に提示することにより、撮影部位を変更して撮影を行う際に、撮影前に被検者はどの方向に視線を向ければ良いかを知覚することができる。糖尿病等の循環器系統の病気のある患者の場合眼底周辺を詳細に検査する必要があるので、９個の固視光源１０１を同時に点灯させるようにするのが望ましい。
【００２７】
その際、被検者に固視させたい固視標のみを点滅させ、他の固視標を常時点灯させた状態とするか、被検者に固視させたい固視標のみを残余の固視標と較べて明るく点灯させ、残余の固視標をその明るく輝く固視標と較べて暗く点灯させた状態としても良く、被検者に固視させたい固視標のみを緑色に点灯させ、残余の固視標を赤く点灯させても良い。
【００２８】
また、図１に示したように、ＴＶモニター５３の一部の画面領域Ｑに固視標の提示位置に対応する数字を表示しても良い。この数字の代わりに固視の方向を示す矢印→、←、↑、↓を表示させても良い。
【００２９】
【発明の実施の形態２】
図８は本発明の眼科撮影装置の発明の実施の形態２を示し、対物レンズ４１と孔空きミラー４２との間の光路に、補助レンズ１０６が挿入・離脱可能に設けられている。補助レンズ１０６はここでは三群のリレーレンズから構成され、図８（ａ）に示すように、眼底撮影時には撮影光学系３１の光路から離脱されている。前眼部観察時には、補助レンズ１０６は撮影光学系３１の光路に図８（ｂ）に示すように挿入され、補助レンズ１０６の撮影光学系３１への光路への挿脱により前眼部観察と眼底撮影とを切り換えるように構成されている。この構成によれば、対物レンズ４１と被検眼とのワークディスタンスＷを変更することなく、前眼部観察と眼底撮影とを切り換えることができる。
【００３０】
前眼部観察時には、その補助レンズ１０６の光路への挿脱に連動して光路に挿脱される前眼部用の８個の固視標を設ける。この固視標はＬＥＤ１０７と光ファイバ１０８とから構成されている。光ファイバ１０８の出射端１０８ａ〜１０８ｈは眼底共役面Ｒと同じ位置（対物レンズ４１の後側焦点位置）に配置されている。この出射端１０８ａ〜１０８ｈの配設位置は。図８（ｃ）に示すように発明の実施の形態１の固視標の配設位置と同じである。例えば、図９（ａ）に示すように、発明の実施の形態１の眼底用の固視光源１０１ａに対応する光ファイバ１０８の射出端１０８ａから固視標光が出射されるようにＬＥＤを点灯させると、射出端１０８ａから出射された固視標光は、補助レンズ１０６を介さずに対物レンズ３１を介して被検眼に平行に投影され、被検者の視線を上方に向けさせることができる。ＴＶモニター５３の画面には、図９（ｂ）に示すように、前眼部像Ｚと共に、一部の画面領域Ｑに被検者の固視の方向が実施の形態１と同様に、固視標の提示位置に対応する数字で表示される。
【００３１】
この発明の実施の形態では、前眼部用固視標が設けられているので、アライメントを行うための前眼部観察時から、被検者はどの方向に視線を向ければよいのかを撮影前に知覚することができる。また、検者は被検者に固視標を提示してアライメントを行っているので、被検者の固視が固定され、従って、アライメント作業を迅速に行うことができる。
【００３２】
（ｃ）に示すように、前眼部観察時の視線誘導方向に対応する眼底用の固視標光源１０１を自動的に点灯させ、その像１０１’を眼底共役面Ｒに形成して、被検者に固視標を提示させる。なお、前眼部用固視標により向けられる被検眼Ｅの視線の方向θ１と、眼底観察時の固視標により向けられる被検眼Ｅの視線の方向θ２とをほぼ一致させるようにするのが望ましい。
【００３３】
ここでは、前眼部用固視標を設けることとしたが、補助レンズ１０６を避けて、固視標光源１０１の像１０１’を眼底共役面Ｒに形成されるようにすれば、前眼部用固視標を設けることなく、前眼部観察時に固視標を被検者に提示させることができる。
【００３４】
この発明の実施の形態２によれば、周辺部撮影用の固視標を補助レンズ１０６の周辺に設け、補助レンズ１０６を介さずに被検眼に固視標を投影しているので、配線コード等による陰影が生じない。
【００３５】
なお、この発明の実施の形態では、後極部（中心）のときの前眼部観察の際は、被検者に固視標が提示されていないが、これは、対物レンズ３１の中心を見ていて下さいと被検者に指示すれば十分だからである。
【００３６】
【発明の実施の形態３】
図１０は穴空きミラー４２と合焦レンズ４４との間に前眼部観察用レンズ１０９を挿入することにより、前眼部観察と眼底とを切り換える構成としたものである。この発明の実施の形態では、装置本体の移動に伴って前眼部観察用補助レンズ１０９が撮影光学系３１の光路に挿入され、前眼部観察と眼底観察との切り替えスイッチは設けられていない。すなわち、装置本体を被検眼Ｅに対して後退させて、図１０（ａ）に示す被検眼と対物レンズ４１とのワークディスタンスＷを図１０（ｂ）に示すようにＷ’に変更すると、自動的に前眼部観察用レンズ１０９が撮影光学系３１の光路に挿入される。
【００３７】
なお、図１０においては、装置全体を移動させる代わりに、被検眼Ｅを移動させるようにして記載している。
【００３８】
対物レンズ４１の周囲には、前眼部用固視標１１０が図１１（ａ）に示すように設けられている。ここでは、前眼部用固視標１１０は発明の実施の形態２と同様に８個設けられている。この前眼部用固視標１１０は固視光源（ＬＥＤ）１１１と、絞り１１２と、投影レンズ１１３とから構成されている。絞り１１２は投影レンズ１１３のほぼ焦点位置に配置されており、固視標は被検眼Ｅに向けて平行に投影される。
【００３９】
この発明の実施の形態によれば、前眼部観察時に、固視標が対物レンズ４１を介さずに被検眼に向けて投影される。そして、装置本体の光軸方向の移動に連動して前眼部観察用レンズ１０９が光路から離脱されると同時に固視光源１１１が消灯される。眼底撮影時のアライメントの際には、対物レンズ４１を介して眼底撮影用固視標が図１１（ｂ）に示すように投影され、撮影が実行される。
【００４０】
【発明の実施の形態４】
発明の実施の形態３では、前眼部用の固視光源１１１からの固視標光を投影レンズ１１３により平行光束に変換して被検眼Ｅの眼底Ｅｆに投影する構成となっているので、被検眼Ｅにより固視標を明瞭に認識できるが、対物レンズ４１の回りに固視光源１１１の個数と同数個の投影レンズ１１３を設けなければならず、対物レンズ４１の鏡筒が大型化するが、発明の実施の形態４では、図１２（ａ）に示すように、投影レンズ１１３を廃止する代わりに内筒径３ｍｍよりも小さい視野制限絞り１１４（径１．５ｍｍ〜２ｍｍ）を内筒端面に設ける構成としたものである。
【００４１】
通常の外部固視標の位置は前眼部観察時の作動距離Ｗ’（６０ｍｍ〜８０ｍｍ）の位置にあって、被検者に外部固視標としてのＬＥＤを提示して視線を誘導しており、外部固視標の位置が被検者に近いのではっきり固視標が見えるわけではないが、通常の外部固視標の位置と同じ位置に絞り１１２を設ける構成とすれば、投影レンズ１１３を設けなくとも被検者は従来の外部固視標と同程度に前眼部用の固視標を認識できる。
【００４２】
ここで、視野制限絞り１１４を設けたわけは、固視光源１１１の固視標光が他方の被検眼Ｅ’に入射して、他方の被検眼Ｅ’に固視標が見えると、被検者の固視誘導に支障が生じるからである。
【００４３】
この発明の実施の形態４によれば、図１３に示すように、対物レンズ４１の鏡筒１１５内に固視光源（ＬＥＤ）１１１、絞り１１２、視野制限絞り１１４を組み込むことができ、対物レンズ４１の鏡筒１１５を発明の実施の形態３に較べて小型化することができ、また、高価な投影レンズ１１３を廃止する構成としたので、安価に制作できる。
【００４４】
以上、眼底撮影について説明したが、本発明は、角膜内皮の撮影、角膜断面の撮影にも適用できる。
【００４５】
また、固視標を装置本体内部の光学系に設ける構成として説明したが、固視標を装置本体外部でかつ対物レンズの鏡筒の周囲でしかも被検者の正面に設ける構成としても良い。
【００４６】
【発明の効果】
本発明は以上説明したように構成したので、被検眼の周辺撮影前に各視線方向を予め提示できるので、被検者は次の撮影を行うためにどの方向に視線を向けることができるか否かを周辺撮影前に知ることができ、周辺撮影をスムーズに行うことができる。
【００４７】
また、前眼部観察時に被検眼を調節しなくとも見ることのできる周辺固視標を提示しているので、被検者は固視が楽でかつ固視を一定に保つことができる。一方、検者は固視が安定しているので、アライメントを迅速に行うことができる。
【図面の簡単な説明】
【図１】  本発明に係わる眼底カメラの発明の実施の形態１の構成を示す光学図である。
【図２】  図１に示す２孔絞りの平面図である。
【図３】  図１に示すハーフミラーの光学特性図である。
【図４】  図１に示すテレビモニターの画面に表示された眼底像を示し、（ａ）はアライメントが適正な状態の説明図であり、（ｂ）はアライメントが不適正な状態の説明図である。
【図５】  図１に示す固視標光学系の固視光源の配設状態を示す図である。
【図６】  本発明に係わる固視標同時提示手段としてのロータリ式スイッチを示す図である。
【図７】  選択スイッチの一例としてのタッチパネルを示し、（ａ）は表示パネルを示し、（ｂ）は接点パネルを示す。
【図８】  本発明に係わる眼底カメラの発明の実施の形態２の説明図であり、（ａ）はその全体構成を示す光学図であり、（ｂ）は光路内に補助レンズが挿入された状態を示す部分光学図であり、（ｃ）は（ｂ）に示す固視光源の配設状態を示す。
【図９】  発明の実施の形態２の説明図であり、（ａ）は前眼部観察時の固視標の投影状態を示し、（ｂ）はテレビモニターの画面に表示された前眼部像を示し、（ｃ）は眼底観察時の固視標の投影状態を示す。
【図１０】  本発明に係わる眼底カメラの発明の実施の形態３の説明図であり、（ａ）は眼底観察時の被検眼と装置本体との作動距離を示す光学図であり、（ｂ）は前眼部観察時の被検眼と装置本体との作動距離を示す光学図である。
【図１１】  発明の実施の形態３の説明図であり、（ａ）は前眼部観察時の固視標の投影状態を示し、（ｂ）は眼底観察時の固視標の投影状態を示す。
【図１２】  発明の実施の形態４の説明図であり、（ａ）は前眼部観察時の固視標の投影状態を示し、（ｂ）は眼底観察時の固視標の投影状態を示す。
【図１３】  発明の実施の形態４の対物レンズの鏡筒に固視光源を組み込んだ状態を示す図である。
【符号の説明】
３０…照明光学系
３１…撮影光学系（撮影手段）
１０１…固視標光源
Ｅ…被検眼
ＳＷ１…ロータリ式スイッチ（固視標同時提示手段）
【図１】
0003995806.tif 000002
【図２】
0003995806.tif 000003
【図３】
0003995806.tif 000004
【図４】
0003995806.tif 000005
【図５】
0003995806.tif 000006
【図６】
0003995806.tif 000007
【図７】
0003995806.tif 000008
【図８】
0003995806.tif 000009
【図９】
0003995806.tif 000010
【図１０】
0003995806.tif 000011
【図１１】
0003995806.tif 000012
【図１２】
0003995806.tif 000013
【図１３】
0003995806.tif 000014